(57)【要約】【課題】デジタル放送受信装置において、視聴している番組を断続的に視聴できない状態が発生した場合に、視聴できなかった部分のみをデジタル放送記録再生装置で簡便に再視聴できるデジタル放送再生システムを提供する。【解決手段】デジタル放送受信装置は、デジタル放送信号から放送時間を含む特定の番組に関する情報を取り出し、更にこの情報にユーザが前記特定の番組を視聴できなかった期間に関する情報を加えて視聴番組テーブルを作成し、デジタル放送記録再生装置に送信する。デジタル放送記録再生装置は、前記視聴番組テーブルに基づき、記録媒体からユーザが視聴できなかった期間の映像データおよび音声データを読み出して映像および音声を再生する。【選択図】図２
2006311522.tif 000002
【特許請求の範囲】
【請求項１】
デジタル放送信号を受信し、前記デジタル放送信号に含まれる映像データに基づいてモニタに映像を表示し、同じく音声データに基づいてスピーカに音声を出力するデジタル放送受信装置ならびに、
デジタル放送信号を受信し、前記デジタル放送信号に含まれる映像データおよび音声データを記録媒体に記録すると共に、前記映像データおよび音声データを前記記録媒体から読み出して映像および音声を再生するデジタル放送記録再生装置を備え、
前記デジタル放送受信装置は、前記デジタル放送信号から、放送時間を含む特定の番組に関する情報を取り出し、更にこの情報にユーザが前記特定の番組を視聴できなかった期間に関する情報を加えた少なくとも１セットの情報を作成して、前記デジタル放送記録再生装置に送信し、
前記デジタル放送記録再生装置は、前記デジタル放送受信装置から送信された少なくとも１セットの情報に基づき、前記記録媒体から前記特定の番組についてユーザが視聴できなかった期間の映像データおよび音声データを読み出して映像および音声を再生することを特徴とするデジタル放送再生システム。
【請求項２】
前記デジタル放送受信装置は、前記モニタが映像の表示を止めた期間を、前記ユーザが前記特定の番組を視聴できなかった期間として設定することを特徴とする請求項１に記載のデジタル放送再生システム。
【請求項３】
前記デジタル放送受信装置は、前記映像データのデコード処理ができない期間を、ユーザが前記特定の番組を視聴できなかった期間として設定することを特徴とする請求項１に記載のデジタル放送再生システム。
【請求項４】
前記デジタル放送受信装置は、駆動電源である電池の容量が一定レベル以下になった期間を、ユーザが前記特定の番組を視聴できなかった期間として設定することを特徴とする請求項１に記載のデジタル放送再生システム。
【請求項５】
アンテナで受信したデジタル放送信号から特定周波数の信号を取り出すチューナと、
前記チューナで取り出した特定周波数の信号を復調して映像データおよび音声データを含むストリームを出力する復調部と、
前記ストリームからビデオストリーム、オーディオストリームおよび番組に関する情報を分離するデマルチプレクサと、
前記デマルチプレクサで分離されたビデオストリームおよびオーディオストリームをデコードしてデジタル映像信号およびデジタル音声信号を作成するＡＶデコーダと、
前記ＡＶデコーダで作成されたデジタル映像信号をアナログ映像信号に変換してモニタに出力する映像信号処理部と、
前記ＡＶデコーダで作成されたデジタル音声信号をアナログ音声信号に変換してスピーカに出力する音声信号処理部と、
前記デジタル放送信号から分離された番組に関する情報を格納するメモリと、
前記モニタで再生される映像についてユーザが視聴できない状態を検知する検知器と、
データを外部機器に送信するデータ送信部と、
前記各部の動作を制御する制御部とを備え、
前記制御部は、前記メモリに格納された番組に関する情報から放送時間を含む特定の番組に関する情報を取り出し、更にこの情報に前記検知器の出力に基づいてユーザが前記特定の番組を視聴できなかった期間に関する情報を加えて少なくとも１セットの情報を作成し、前記少なくとも１セットの情報を前記データ送信部によりデジタル放送記録再生装置に送信することを特徴とするデジタル放送受信装置。
【請求項６】
前記検知部は、前記モニタが映像の表示を止めた状態を検知することを特徴とする請求項５に記載のデジタル放送受信装置。
【請求項７】
前記検知部は、前記ＡＶデコーダでビデオストリームのデコードができない状態を検知することを特徴とする請求項５に記載のデジタル放送受信装置。
【請求項８】
前記検知部は、駆動電源である電池の容量が一定レベル以下になった状態を検知することを特徴とする請求項５に記載のデジタル放送受信装置。
【請求項９】
前記少なくとも１セットの情報に基づいて前記モニタの表示画面を編集する画面処理部を更に備えたことを特徴とする請求項５〜７のいずれかに記載のデジタル放送受信装置。
【請求項１０】
アンテナで受信したデジタル放送信号から特定周波数の信号を取り出すチューナと、
前記チューナで取り出した特定周波数の信号を復調して映像データおよび音声データを含むストリームを出力する復調部と、
前記ストリームからビデオストリーム、オーディオストリームおよび番組に関する情報を分離するデマルチプレクサと、
前記復調部から出力された映像データおよび音声データを含むストリームを記録媒体に記録する記録再生制御部と、
前記デマルチプレクサで分離されたビデオストリームおよびオーディオストリームをデコードしてデジタル映像信号およびデジタル音声信号を作成するＡＶデコーダと、
前記ＡＶデコーダで作成されたデジタル映像信号をアナログ映像信号に変換する映像信号処理部と、
前記ＡＶデコーダで作成されたデジタル音声信号をアナログ音声信号に変換する音声信号処理部と、
データを外部機器から受信するデータ受信部と、
前記データ受信部で受信したデータを格納するメモリと、
前記各部の動作を制御する制御部とを備え、
前記データ受信部は、デジタル放送受信装置から、放送時間を含む特定の番組に関する情報および、ユーザが前記特定の番組を視聴できなかった期間に関する情報を含む少なくとも１セットの情報を受信し、
前記制御部は、前記データ受信部で受信した少なくとも１セットの情報を用いて、前記記録媒体から前記特定の番組についてユーザが視聴できなかった期間の映像データおよび音声データを読み出して前記ＡＶデコーダに出力することを特徴とするデジタル放送記録再生装置。
【請求項１１】
前記記録媒体に記録されたストリームから、前記特定の番組においてユーザが視聴できなかった各期間に対応する１フレーム分の映像データを読み出して縮小画像を作成するリサイズエンジンと、
前記リサイズエンジンで作成した複数の縮小画像を画面上に配置して前記モニタの表示画面を編集する画面処理部と
を更に備えたことを特徴とする請求項１０に記載のデジタル放送記録再生装置。
【発明の詳細な説明】
【技術分野】
【０００１】
本発明は、デジタル放送受信装置およびデジタル放送記録再生装置を備えたデジタル放送再生システムに関し、更に詳しくは、デジタル放送受信装置において、何らかの外的要因によって番組の視聴ができなくなった場合、この視聴不可状態が発生したときおよび終了したときの時間情報と、番組を特定する情報を用いて、番組の視聴できなかった部分（以下、視聴不可部という）のみをデジタル放送記録再生装置で再視聴するデジタル放送再生システムに関する。
【背景技術】
【０００２】
近年、衛星や地上波を用いたデジタル放送が普及しつつあるが、このデジタル放送を、携帯型デジタル放送受信装置を用いて受信することが検討されている（特許文献１参照）。携帯型デジタル放送受信装置を用いれば、ユーザは場所を問わず、空いた時間に番組を視聴することが可能となる。
【０００３】
携帯型デジタル放送受信装置を用いて屋外でデジタル放送を受信する場合、外的要因によって視聴を続けることが困難な状況が発生する場合がある。例えば、電車の乗降時にデジタル放送受信装置の蓋を閉じる場合、トンネル等のデジタル放送が受信できない場所に入った場合、および受信装置の電源として用いる電池の容量が少なくなった場合等である。この視聴できない状態は、一つの番組を視聴している間に断続的に複数回発生する場合もある。
【特許文献１】特開２００２−１２５１８１号公報
【発明の開示】
【発明が解決しようとする課題】
【０００４】
このように携帯型デジタル放送受信装置において、視聴時に番組の一部を見逃した場合、あらかじめその番組を自宅のデジタル放送記録再生装置に記録しておき、それを再視聴することが考えられる。しかしその場合、見逃した部分だけを見るためには、番組を先頭から再生しながら見逃した部分を探す必要があり、特に複数の部分を見逃した場合には大きな負担となる。
【０００５】
本発明は上記課題に鑑みてなされたもので、番組を視聴できない状態が断続的に発生した場合でも、視聴不可部だけを簡便に視聴できるデジタル放送再生システムを提供することを目的とする。
【課題を解決するための手段】
【０００６】
上記目的を達成するために本発明のデジタル放送再生システムは、
デジタル放送信号を受信し、前記デジタル放送信号に含まれる映像データに基づいてモニタに映像を表示し、同じく音声データに基づいてスピーカに音声を出力するデジタル放送受信装置ならびに、
デジタル放送信号を受信し、前記デジタル放送信号に含まれる映像データおよび音声データを記録媒体に記録すると共に、前記映像データおよび音声データを前記記録媒体から読み出して映像および音声を再生するデジタル放送記録再生装置を備え、
前記デジタル放送受信装置は、前記デジタル放送信号から、放送時間を含む特定の番組に関する情報を取り出し、更にこの情報にユーザが前記特定の番組を視聴できなかった期間に関する情報を加えた少なくとも１セットの情報を作成して、前記デジタル放送記録再生装置に送信し、
前記デジタル放送記録再生装置は、前記デジタル放送受信装置から送信された少なくとも１セットの情報に基づき、前記記録媒体から前記特定の番組についてユーザが視聴できなかった期間の映像データおよび音声データを読み出して映像および音声を再生することを特徴とする。
【０００７】
本発明のデジタル放送再生システムにおいて、前記デジタル放送受信装置は、前記モニタが映像の表示を止めた期間を、前記ユーザが前記特定の番組を視聴できなかった期間として設定することが好ましい。
【０００８】
同様に、前記デジタル放送受信装置は、前記映像データのデコード処理ができない期間を、ユーザが前記特定の番組を視聴できなかった期間として設定することが好ましい。
【０００９】
同様に、前記デジタル放送受信装置は、駆動電源である電池の容量が一定レベル以下になった期間を、ユーザが前記特定の番組を視聴できなかった期間として設定することが好ましい。
【００１０】
また本発明には、デジタル放送再生システムを構成するデジタル放送受信装置およびデジタル放送記録再生装置が含まれる。
【発明の効果】
【００１１】
本発明のデジタル放送再生システムによれば、デジタル放送受信装置において断続的に視聴ができない状態が発生した場合でも、番組データの中から視聴不可部を簡単に特定することができるため、その部分のみをデジタル放送記録再生装置を用いて簡便に再視聴することが可能となる。
【発明を実施するための最良の形態】
【００１２】
以下、本発明の実施の形態について、図面を参照しながら詳細に説明する。
【００１３】
図１および図２は、本実施の形態のデジタル放送再生システムを構成するデジタル放送受信装置および放送記録再生装置のブロック図である。
【００１４】
以下、まず図１を参照してデジタル放送受信装置１００の構成について説明する。図１において、１０２は外付けのアンテナ１０１で受信した、映像データおよび音声データを含むデジタル放送信号から特定周波数の信号を取り出すチューナである。１０３は、チューナ１０２で取り出したデジタル放送信号を復調してトランスポート・ストリーム（以下、ＴＳと略す）を出力する復調部である。１０４は前記ＴＳを、ＭＰＥＧ２のビデオストリーム、オーディオストリームおよび番組に関する情報であるＰＳＩ／ＳＩ（Program Specific Information /   Service Information）や放送情報（地域識別子、サービス種別、放送局種別、サービス番号）に分離するデマルチプレクサである。
【００１５】
前記ＴＳには複数のチャンネルが多重化されており、このなかから任意のチャンネルを選択するための処理は、ＰＳＩ／ＳＩから任意のチャンネルがＴＳの中でどのパケットＩＤで多重化されているかを示すデータを取り出すことで可能になる。またＴＳの選定もＰＳＩ／ＳＩに基づいて行うことができる。更にＳＩには番組情報（番組名、番組開始時刻、番組継続時間、番組内容情報、番組ジャンル情報等）が含まれている。そして番組情報中のＥＩＴ（Event Information Table）により、番組の名称、放送日時、番組内容情報、Ｅｖｅｎｔ＿ＩＤなどを特定できる。これらの情報は後述するＲＡＭ（Random Access Memory）１１３に格納される。
【００１６】
１０５はＡＶデコーダであり、ビデオストリームのデコードを行うビデオデコーダおよび、オーディオストリームのデコードを行うオーディオデコーダを備えている。ビデオデコーダは、入力された符号化データを復号して量子化係数や動きベクトルを求め、逆ＤＣＴ変換や動きベクトルに基づく動き補償制御等を行う。一方、オーディオデコーダは、入力された符号化データを復号して音声データを生成する。
【００１７】
１０６は音声信号処理部であり、ＡＶデコーダ１０５から受け取った音声データをＤ／Ａ変換してアナログの音声信号を生成し、スピーカ１０７に出力する。１０８は映像信号処理部であり、ＡＶデコーダ１０５から受け取った映像データをＤ／Ａ変換した後、例えばＮＴＳＣコンポジット信号を作成し、モニタ１０９に出力する。なお、本実施の形態で用いるデジタル放送受信装置は携帯型であるため、後述する図４に示すように受信装置１００の本体にモニタ１０９を兼ねた蓋が取り付けられており、蓋を開けるとモニタ１０９の表示画面が見えるようになっている。
【００１８】
１１０はＣＰＵ（Central Processing Unit）で構成された制御部である。制御部１１０はデジタル放送受信装置１００の各部の制御を行い、また後述する視聴番組テーブルを作成する。
【００１９】
１１１は検知部であり、本実施の形態ではモニタ１０９の蓋に取り付けられたスイッチで構成されている。検知部１１１は、モニタ１０９の蓋の開閉が発生したことを制御部１１０へ通知する。
【００２０】
１１２は操作部であり、チャンネルキー、音量キー、方向キー、決定キー、メニューキー、送信キーおよびテンキー等から成る操作ボタンで構成されている。操作部１１２は制御部１１０に接続されており、番組視聴に関する指示、視聴番組テーブルをデータ送信部１１４やモニタ１０９へ出力する指示および、デジタル放送の視聴を終了するときの指示を入力する。
【００２１】
１１４は赤外線通信装置で構成されたデータ送信部であり、赤外線通信によって視聴番組テーブルを図２のデジタル放送記録再生装置に送信する。
【００２２】
１１５はＲＡＭ１１３に格納された視聴番組テーブルをモニタ１０９に表示するため画面の編集を行う画面処理部であり、編集作業に用いるＲＡＭ１１６と画面の枠やアイコンといったＧＵＩ部品のデータを格納したＲＯＭ（Read Only Memory）１１７を備えている。画面処理部１１５で編集され、ビットマップデータに変換された視聴番組テーブルは映像信号処理部１０８に転送され、アナログ映像信号に変換された後、モニタ１０９に表示される。なお画面処理部１１５は、ＡＶデコーダ１０５から映像データが出力されている場合には、それらのデータをそのまま映像信号処理部１０８に転送する。
【００２３】
次に、制御部１１０で作成する視聴番組テーブルについて説明する。図３に示すように、視聴番組テーブル３００は視聴番組毎に作成され、番組視聴中に発生した視聴不可部の期間（発生時刻３０６と終了時刻３０７）を表す視聴不可状態情報テーブル３０８と、番組に関する情報であるチャンネル番号（ＣＨ）３０１、放送局名３０２、番組名３０３、番組開始時刻３０４および番組終了時刻３０５の各情報を１セットの形で含んでいる。同一番組の視聴中に視聴不可状態が複数回発生した場合は、図３に示すように発生回数だけ視聴不可状態情報テーブル３０８が作成される。本実施の形態では、モニタ１０９の蓋を閉じた場合、モニタ１０９での映像表示が中断されたと判断し、自動的に視聴番組テーブル３００を作成してＲＡＭ１１３に保存する。
【００２４】
制御部１１０は、検知部１１１からの通知を受け、モニタ１０９の蓋が閉じたとき、視聴不可状態情報テーブル３０８を作成すると共に、発生時刻３０６に蓋が閉じたときの時刻を保存する。同様にモニタ１０９の蓋が開いたとき、直前に作成された視聴不可状態情報テーブル３０８の終了時刻３０７に蓋が開いたときの時刻を保存する。また操作部１１２から視聴中断の要求が通知されたとき、もしくは視聴している番組の終了時には、デマルチプレクサ１０４から取り出した番組情報と、視聴不可状態情報テーブル３０８を組み合わせて視聴番組テーブル３００を作成し、ＲＡＭ１１３に書き込む。
【００２５】
制御部１１０は、操作部１１２に入力されたユーザの指示に従い、ＲＡＭ１１３に格納された視聴番組テーブル３００を読出し、モニタ１０９に表示すると共に、データ送信部１１４に出力する。
【００２６】
図４に、モニタ１０９の画面に視聴番組テーブル３００を表形式で表示した例を示す。表の上段は「今日の○○」、下段は「××の午後」という番組名の視聴番組テーブル３００を表し、各視聴番組テーブル３００には、図３に示した番組に関する情報（ＣＨ３０１、放送局名３０２、番組名３０３、番組開始時刻３０４、番組終了時刻３０５）ならびに、視聴不可状態情報テーブル３０８の発生時刻３０６および終了時刻３０７が表示される。
【００２７】
ユーザが操作部１１２に対し、モニタ１０９の画面に視聴番組テーブル３００を表示する指示を入力した場合、制御部１１０は、ＲＡＭ１１３に格納されている視聴番組テーブル３００のデータを読み出して画面処理部１１５に転送する。画面処理部１１５では、ＲＯＭ１１７から表の枠等のＧＵＩ部品のデータを読み出し、このデータを視聴番組テーブル３００のデータと合成して表示画面の編集を行い、出来上がった画面のデータをビットマップデータに変換した後、映像信号処理部１０８に転送し、ここでアナログの映像信号に変換し、モニタ１０９の画面に表示する。
【００２８】
次に、図２を参照してデジタル放送記録再生装置２００の構成について説明する。図２において、アンテナ２０１、チューナ２０２、復調部２０３、デマルチプレクサ２０４、ＡＶデコーダ２０５、音声信号処理部２０６および映像信号処理部２０７の機能は、図１のアンテナ１０１、チューナ１０２、復調部１０３、デマルチプレクサ１０４、ＡＶデコーダ１０５、音声信号処理部１０６および映像信号処理部１０８の各機能と同じであるため、説明を省略する。
【００２９】
２０８は左右の音声出力端子や映像出力端子が設けられたＡＶ出力端子であり、映像／音声コードを介して外部モニタであるテレビジョン（ＴＶ）受像機２０９に接続されている。ＴＶ受像機２０９は、音声信号処理部２０６で生成された音声信号を内蔵のスピーカから出力し、映像信号処理部２０７で生成された映像信号をモニタ画面に表示する。
【００３０】
２１０はＣＰＵで構成され、デジタル放送記録再生装置２００の各部の制御を行う制御部である。デジタル放送受信装置１００と同様、デマルチプレクサ２０４でＴＳから分離されたＰＳＩ／ＳＩのデータはＲＡＭ２１４に格納される。
【００３１】
２１１は、制御部２１０の指示に従い、ユーザが選択した番組データを含むＴＳをデマルチプレクサ２０４から受け取り、ハードディスクや光ディスク等の記録媒体２１２に書込み、また記録媒体２１２に記録されたＴＳからユーザが選択した番組データを含むＴＳを読み出してデマルチプレクサ２０４に転送する記録再生制御部である。
【００３２】
２１３は操作部であり、方向キーおよび決定キー等から成る操作ボタンで構成されている。操作部２１３は、ＴＶ受像機２０９のモニタ画面に番組中の視聴不可部の縮小画像（以下、サムネイルという）を表示した場合において、ユーザが画面中のカーソルを動かして再視聴したい視聴不可部を選択する際に用いられる。
【００３３】
２１５は赤外線通信装置で構成されたデータ受信部であり、赤外線によって図１のデータ送信部１１４との間でデータ通信を行い、視聴番組テーブル３００のデータを受信する。受信した視聴番組テーブル３００のデータは制御部２１０によりＲＡＭ２１４に格納される。
【００３４】
制御部２１０は、ＲＡＭ２１４に格納された視聴番組テーブル３００および記録媒体２１２に記録された映像データを読み出し、画面処理部２１６でこれらのデータに基づいて画面を編集し、映像信号処理部２０７に出力する。２１７は、記録媒体２１２に記録された映像データを用いて表示画面に組み込むサムネイルを作成するリサイズエンジン、２１８は画面処理部２１６およびリサイズエンジン２１７のワーキングＲＡＭ、２１９はＧＵＩ部品のデータを格納したＲＯＭである。
【００３５】
図５に、ＴＶ受像機２０９のモニタに表示される画面の例を示す。画面５０１は、上段に「今日の○○」、下段に「××の午後」という名前の番組の視聴番組テーブル３００の情報を表示している。上段３つのサムネイル５０２は番組「今日の○○」の視聴中に発生した視聴不可部を表し、各サムネイルの下に表示されている時間情報５０３は、各視聴不可部に対応する視聴不可状態情報テーブル３０８の発生時刻３０６と終了時刻３０７を示している。
【００３６】
ユーザが操作部２１０に対し、ＴＶ受像機２０９の画面に図５の画面を表示する指示を入力した場合、制御部２１０は、ＲＡＭ２１４に格納されている視聴番組テーブル３００のデータを読み出して画面処理部２１６に転送する。また制御部２１０は、デマルチプレクサ２０４にサムネイル表示させたい時刻を通知する。デマルチプレクサ２０４は、この通知を受けて、記録再生制御部２１１にパーシャルＴＳの読み出しを要求する。記録再生制御部２１１は要求されたパーシャルＴＳを記録媒体２１２から読み出し、デマルチプレクサ２０４に転送する。デマルチプレクサ２０４はパーシャルＴＳをビデオストリームとオーディオストリームに分離し、更にビデオストリームからサムネイル表示される時刻に該当するフレームを検索し、該当するフレームの映像データをＡＶデコーダ２０５に転送する。
【００３７】
ＡＶデコーダ２１１でデコードされたフレームの映像データはリサイズエンジン２１７に転送され、ここでサイズを縮小したサムネイルが作成される。得られたサムネイルのデータは、一旦ＲＡＭ２１８に格納された後、画面処理部２１６に転送され、ここで、視聴不可部の発生時刻・終了時刻のデータや、ＲＯＭ２１９から読み出された画面の枠等のデータと合成されて図５に示す画面に編集され、更にビットマップデータに変換された後、映像信号処理部２０７に転送される。
【００３８】
次に、フローチャートを参照しながら、本実施の形態のデジタル放送受信装置およびデジタル放送記録再生装置の動作について説明する。
【００３９】
図６は、図１に示したデジタル放送受信装置１００において、番組の視聴中にモニタ１０９の蓋の開閉状態を検知し、映像の表示が中断された時および再開された時に、その時刻を保存した視聴不可状態情報テーブル３０８を作成し、その後、番組視聴終了時に視聴不可状態情報テーブル３０８と番組情報を組み合わせて視聴番組テーブル３００を作成するまでの一連の動作を示すフローチャートである。
【００４０】
一方、図７は、図６に続いて実行されるデジタル放送受信装置１００とデジタル放送記録再生装置２００の動作を示すフローチャートである。すなわち、デジタル放送受信装置１００における視聴番組テーブル３００の表示、またはデジタル放送受信装置１００における視聴番組テーブル３００の送信からデジタル放送記録再生装置２００における視聴番組テーブル３００の受信および視聴不可部の再生までの一連の制御動作を示している。
【００４１】
まず図６を用いて、デジタル放送受信装置１００における番組視聴中に、モニタ１０９の蓋の開閉状態を検知し、映像の表示が中断された時および再開された時の時間情報と番組情報を、視聴番組テーブル３００として保存するまでの一連の制御動作について説明する。
【００４２】
ユーザは携帯型のデジタル放送受信装置１００を用いて番組の視聴を開始する。この時、当然ながらモニタ１０９の蓋は開いた状態となる（ステップＳ６０１）。番組の視聴が始まると、検知部１１１はモニタ１０９の蓋の開閉状況の検知を開始する（Ｓ６０２）。
【００４３】
ユーザが、外的要因によって番組の視聴を中断せざるを得ない状態となり、モニタ１０９の蓋を閉じると、検知部１１１は検知結果を制御部１１０へ通知する。制御部１１０は、検知結果を受けて番組の視聴不可状態が発生したと判断する（Ｓ６０３）。制御部１１０は、視聴不可状態情報テーブル３０８を作成し、ＲＡＭ１１３に格納する（Ｓ６０４）。制御部１１０は、さらに視聴不可状態の発生時刻３０６を視聴不可状態情報テーブル３０８に保存する（Ｓ６０５）。
【００４４】
外的要因が取り除かれ、ユーザが番組の視聴を再開するためモニタ１０９の蓋を開くと、検知部１１１でその状態が検知され（Ｓ６０２）、ステップＳ６０３でＮｏとなる。検知部１１１は検知結果を制御部１１０へ通知する。制御部１１０は、検知結果を受けて、番組の視聴不可状態が終了し、視聴可能状態へ復帰したと判断する（Ｓ６０６）。制御部１１０は、視聴不可状態の終了時刻３０７を視聴不可状態情報テーブル３０８に保存する（Ｓ６０７）。
【００４５】
なお、検知部１１１がモニタ１０９の蓋の開閉を検知しなかった場合、つまりステップＳ６０３およびＳ６０６が共にＮｏである場合は、番組の視聴可の状態または視聴不可の状態が続いているものとし、何もしない。
【００４６】
視聴不可状態情報テーブル３０８の作成および書込みが終了すると、制御部１１０は、ユーザから操作部１１２に対して視聴終了要求があったか否かを判定する。操作部１１２は、視聴終了要求の有無を制御部１１０に通知する（ステップＳ６０８）。次に制御部１１０は、デマルチプレクサ１０４から番組終了時刻３０５を得て、番組終了時刻３０５を現在時刻と比較することで番組の終了判定を行う（Ｓ６０９）。
【００４７】
視聴終了要求がなくかつ番組が続いている場合は、制御部１１０は、まだユーザによる番組視聴が続いていると判断し、ステップＳ６０２に戻って再びモニタ１０９の蓋の開閉状況の検知を開始する。なお、視聴不可状態が複数回発生した場合には、ステップＳ６０２からステップＳ６０９を繰り返すことにより、視聴不可部の数だけ視聴不可状態情報テーブル３０８が作成される。したがって、ユーザは発生した全ての視聴不可部についての情報を得ることができる。
【００４８】
視聴終了要求があったか、もしくは番組が終了した場合、制御部１１０は、最後に作成された視聴不可状態情報テーブル３０８の終了時刻３０７の値をチェックし、値が入っていなかった場合は番組終了時刻３０５の値をコピーして格納する。制御部１１０は、デマルチプレクサ１０４から番組情報（ＣＨ３０１、放送局名３０２、番組名３０３、番組開始時刻３０４、番組終了時刻３０５）を取得する（Ｓ６１０）。次に制御部１１０は、番組情報および視聴不可状態情報テーブル３０８を合成して視聴番組テーブル３００を完成させ、ＲＡＭ１１３に保存する（Ｓ６１１）。その際、発生時刻３０６もしくは終了時刻３０７の欠けた不完全な視聴不可状態情報テーブル３０８は破棄する。
【００４９】
ユーザが複数の番組を視聴した場合、各番組の視聴開始毎にステップＳ６０１からステップＳ６１１までの処理が実行されることにより、視聴された番組毎に視聴番組テーブル３００が自動的に保存されるので、ユーザは視聴した全ての番組についてその視聴不可部に関する情報を得ることができる。
【００５０】
次に、図７を用いて、デジタル放送受信装置１００における視聴番組テーブル３００の表示、およびデジタル放送記録再生装置２００への視聴番組テーブル３００の送信からデジタル放送記録再生装置２００における視聴不可部のサムネイル表示および再生までの制御動作を説明する。
【００５１】
まずデジタル放送受信装置１００において、制御部１１０は、操作部１１２に対してユーザによる視聴番組テーブル３００を表示する要求があったか否かを判定する（Ｓ７０１）。視聴番組テーブル３００の表示要求があったとき、制御部１１０の指示により、画面処理部１１５は、視聴番組テーブル３００の情報を図４に示すような表示画面に編集し、モニタ１０９へ出力する（Ｓ７０２）。これにより、ユーザは手元で視聴不可部の情報を確認することができるので、簡便に視聴不可部を探して再視聴することができる。
【００５２】
ステップＳ７０１で視聴番組テーブル３００の表示要求がなかったとき、次に制御部１１０は、操作部１１２に対してユーザによる視聴番組テーブル３００を送信する要求があったか否かを判定する（Ｓ７０３）。視聴番組テーブル３００の送信要求があったとき、制御部１１０は視聴番組テーブル３００のデータをデータ送信部１１４へ出力する（Ｓ７０４）。
【００５３】
デジタル放送記録再生装置２００において、データ受信部２１５は視聴番組テーブル３００のデータを受信し、それをＲＡＭ２１４に格納する（Ｓ７０５）。制御部２１０は、受信した視聴番組テーブル３００から情報を得ることにより、視聴不可状態が起こった番組および視聴不可部を特定する。そして記録媒体２１２にあらかじめ記録されている番組の映像データを読出し、画面処理部２１６で図５に示すような視聴不可部のサムネイル５０２を表示した画面を作成し、ＴＶ受像機２０９へ出力する（Ｓ７０６）。これにより、ユーザは一目で視聴不可部を把握することができ、例えば、再生される番組を見ながら視聴不可部を探索するといった負担となる操作は不要になる。
【００５４】
ＴＶ受像機２０９のモニタ画面にサムネイル５０２が表示されると、ユーザは操作部２１３を用いて再視聴したい視聴不可部を選択する。ユーザが図５に示す画面表示上で「△」項目にカーソルを合わせて入力ボタンを押すと、番組「今日の○○」の視聴番組テーブル３００の視聴不可状態情報テーブル３０８の［２］が選択されたことが制御部２１０に対して通知される（Ｓ７０７）。制御部２１０は、記録再生制御部２１１に指示して、番組「今日の○○」の映像および音声データのうち、視聴番組テーブル３００の視聴不可状態情報テーブル３０８の［２］部分を含むＴＳを記録媒体２１２から読み出してデマルチプレクサ２０４に転送し、ここでビデオストリームおよびオーディオストリームを分離してＡＶデコーダ２０５に転送し、映像および音声を再生する（Ｓ７０８）。これにより、ユーザは視聴不可部のみを簡便に再視聴することができる。
【００５５】
なお、上記実施の形態では、ユーザがサムネイル画面から視聴不可部を選択する際に、デジタル放送記録再生装置２００の操作部２１３を用いる態様について説明したが、デジタル放送受信装置１００の操作部１１２を用いる態様を採ってもよい。この場合、デジタル放送受信装置１００はデジタル放送記録再生装置２００のリモコンとしての役割を果たす。すなわち、操作部１１２が、ユーザのサムネイル画面におけるカーソル移動および項目選択といったキー操作を受け付け、データ送信部１１４は、キー操作を示す信号を逐次デジタル放送記録再生装置２００に送信する。デジタル放送記録再生装置２００のデータ受信部２１５は、キー操作を示す信号を受信して制御部２１０へ通知し、制御部２１０は、キー操作からユーザが選択したサムネイル５０２を判断し、選択されたサムネイル５０２に対応する視聴不可部のみの映像および音声を再生する。これにより、ユーザは複数の機器を手にとることなく、デジタル放送受信装置１００の操作だけで簡便に番組の視聴不可部を再視聴することができる。
【００５６】
また、上記実施の形態では、モニタ１０９の蓋の開閉について説明したが、これに限定されるものではなく、視聴している番組のデコードができなくなったことをＡＶデコーダ１０５で検知して、放送信号の受信状態の変化と判断する態様を採っても良い。この場合、視聴している番組がデコードできなくなった際に制御部１１０で自動的に視聴番組テーブル３００を作成する。これにより、例えば、ユーザが地下街に入って放送信号の受信状態が悪化して番組を視聴できなくなっても、視聴不可部のみを簡便に再視聴することが可能となる。
【００５７】
また、デジタル放送受信装置１００が電池で駆動されている場合、電池の容量が一定のレベル以下になったことを制御部１１０で検知して放送信号の受信状態および表示状態の変化と判断する態様を採っても良い。この場合も、制御部１１０が自動的に視聴番組テーブル３００を作成する。これにより、電池容量が少なくなって番組を視聴し難い状態が発生しても、ユーザは番組の視聴不可部のみを簡便に再視聴することが可能である。また、上記の検知方法を複数組み合わせて使用しても良い。
【００５８】
また、上記実施の形態では、データ送信部１１４およびデータ受信部２１５に赤外線通信装置を用いる態様について説明したが、これに限定されるものではない。例えば、無線ＬＡＮ通信装置（８０２．１１ｂ／ｇ／ａ）を用いれば通信範囲を拡大できる。Ｂｌｕｅｔｏｏｔｈ通信装置を用いれば、デジタル放送受信装置１００とデジタル放送記録再生装置２００間のデータ送受信を自動的に同期させることができるため、ユーザによる送信要求の手間を省くことができる。また、インターネットを介した通信形態をとることも可能である。
【産業上の利用可能性】
【００５９】
本発明にかかるデジタル放送再生システムは、番組の視聴中に断続的に視聴不可状態が発生しても、番組全体から視聴不可部のみを特定することができ、また視聴不可部を簡便に再視聴することができるため、携帯型デジタル放送受信装置と据置型のメディアサーバ等を組み合わせるような用途において有用である。
【図面の簡単な説明】
【００６０】
【図１】本発明の実施の形態におけるデジタル放送受信装置の構成を示すブロック図
【図２】本発明の実施の形態におけるデジタル放送記録再生装置の構成を示すブロック図
【図３】同実施の形態における視聴番組テーブルの概念図
【図４】同実施の形態における視聴番組テーブルの画面表示例を示す概念図
【図５】同実施の形態における番組選択画面の表示例を示す概念図
【図６】同実施の形態における視聴番組テーブルの作成手順を示すフローチャート
【図７】同実施の形態における視聴番組テーブルの表示および視聴番組テーブルの送受信から視聴不可部の再生までの手順を示すフローチャート
【符号の説明】
【００６１】
１００  デジタル放送受信装置
１０１、２０１  アンテナ
１０２、２０２  チューナ
１０３、２０３  復調部
１０４、２０４  デマルチプレクサ
１０５、２０５  ＡＶデコーダ
１０６、２０６  音声信号処理部
１０７  スピーカ
１０８、２０７  映像信号処理部
１０９  ディスプレイ
１１０、２１０  制御部
１１１  検知部
１１２、２１３  操作部
１１３、１１６、２１４、２１８  ＲＡＭ
１１４  データ送信部
１１５、２１６  画面処理部
１１７、２１９  ＲＯＭ
２００  デジタル放送記録再生装置
２０８  ＡＶ出力端子
２１１  記録再生制御部
２１２  記録媒体
２１５  データ受信部
２１７  リサイズエンジン
【図１】
2006311522.tif 000003
【図２】
2006311522.tif 000004
【図３】
2006311522.tif 000005
【図４】
2006311522.tif 000006
【図５】
2006311522.tif 000007
【図６】
2006311522.tif 000008
【図７】
2006311522.tif 000009